(57)【要約】【課題】録画予約によって録画した番組を計画的に視聴することができる番組受信装置を提供する。【解決手段】放送された番組を受信する番組受信部２と、番組の録画予約の情報である録画予約情報を受け付ける録画予約受付部３と、当該録画予約の対象の番組に関する再生時刻の情報である再生時刻情報を受け付ける再生時刻受付部６と、録画予約受付部３が受け付けた録画予約情報に基づいて、番組受信部２が受信した番組を蓄積する番組蓄積部５と、再生時刻受付部６が受け付けた再生時刻情報に基づいて、番組蓄積部５が蓄積した番組を再生する番組再生部８とを備える。【選択図】図１
2005142904.tif 000002
【特許請求の範囲】
【請求項１】
放送された番組を受信する番組受信部と、
番組の録画予約の情報である録画予約情報を受け付ける録画予約受付部と、
当該録画予約の対象の番組に関する再生時刻の情報である再生時刻情報を受け付ける再生時刻受付部と、
前記録画予約受付部が受け付けた録画予約情報に基づいて、前記番組受信部が受信した番組を蓄積する番組蓄積部と、
前記再生時刻受付部が受け付けた再生時刻情報に基づいて、前記番組蓄積部が蓄積した番組を再生する番組再生部と、を具備する番組受信装置。
【請求項２】
前記番組再生部は、前記再生時刻情報に基づいた番組の再生を開始する時に、他のコンテンツが出力されている場合には、当該コンテンツの出力を中止させ、前記再生時刻情報に基づいた番組の再生を開始する、請求項１記載の番組受信装置。
【請求項３】
前記再生時刻受付部が受け付けた再生時刻情報が示す再生時刻に基づいて、再生時刻が近づいている旨を出力する警告出力部をさらに具備する請求項１または請求項２記載の番組受信装置。
【請求項４】
前記再生時刻情報が示す再生時刻に基づいた番組の再生を開始する時に、前記番組受信装置の主電源がオフの場合には、主電源をオンにする電源制御部をさらに具備する請求項１から請求項３いずれか記載の番組受信装置。
【請求項５】
前記録画予約情報と前記再生時刻情報との受け付けに対して課金を行う課金部をさらに具備する請求項１から請求項４いずれか記載の番組受信装置。
【請求項６】
情報入力装置と、サーバ装置と、請求項１から請求項５いずれか記載の番組受信装置とを具備する情報処理システムであって、
前記情報入力装置は、
前記録画予約情報の入力を受け付ける録画予約入力受付部と、
前記再生時刻情報の入力を受け付ける再生時刻入力受付部と、
前記録画予約情報及び前記再生時刻情報を前記サーバ装置に送信する入力情報送信部と、を具備し、
前記サーバ装置は、
前記情報入力装置から送信された前記録画予約情報及び前記再生時刻情報を受信する入力情報受信部と、
前記入力情報受信部が受信した前記録画予約情報及び前記再生時刻情報を、前記番組受信装置に送信する受信情報送信部と、を具備する情報処理システム。
【請求項７】
請求項６記載の情報処理システムを構成する情報入力装置。
【請求項８】
請求項６記載の情報処理システムを構成するサーバ装置。
【請求項９】
放送予定の番組に関する情報である番組情報を１以上格納している番組情報格納部と、
前記１以上の番組情報を表示する番組情報表示部と、
スケジュールの枠組みを示す情報であるスケジュール枠情報を格納しているスケジュール枠情報格納部と、
前記スケジュール枠情報に基づいてスケジュール枠を表示するスケジュール枠表示部と、前記スケジュール枠表示部が表示したスケジュール枠に対して、前記番組情報表示部が表示した番組情報を配置する指示を受け付ける配置指示受付部と、
前記配置指示受付部が受け付けた指示により特定される番組情報と、当該番組情報が配置されたスケジュール枠が示す時刻の情報である時刻情報とを対応付けて蓄積する番組時刻情報蓄積部と、
前記番組時刻情報蓄積部が蓄積した時刻情報が示す時刻に、当該時刻情報に対応する番組情報が示す番組を出力する番組出力部と、を具備する番組出力装置。
【請求項１０】
放送された番組を受信する番組受信部と、
前記番組受信部が受信した番組であって、前記番組時刻情報蓄積部が蓄積した番組情報が示す番組を蓄積する番組蓄積部と、をさらに具備し、
前記番組出力部は、前記番組蓄積部が蓄積した番組を、当該番組の番組情報に対応付けて蓄積された時刻情報が示す時刻に出力する、請求項９記載の番組出力装置。
【請求項１１】
前記配置指示受付部は、番組を出力する対象となる機器ごとに、前記スケジュール枠に対する番組情報の配置に関する指示を受け付け、
前記番組時刻情報蓄積部は、前記番組情報及び前記時刻情報を、前記番組を出力する対象となる機器ごとに蓄積し、
前記番組出力部は、前記番組を出力する対象となる機器ごとに、当該機器に応じた番組の出力を行う、請求項９または請求項１０記載の番組出力装置。
【請求項１２】
特定の番組に関する情報である特定番組情報を受け付ける特定番組情報受付部と、
前記特定番組情報受付部が受け付けた特定番組情報を表示する特定番組表示部と、をさらに具備し、
前記配置指示受付部は、前記特定番組表示部が表示した特定番組情報に基づいて、前記番組情報を配置する指示を受け付ける、請求項９から請求項１１いずれか記載の番組出力装置。
【請求項１３】
前記特定番組情報受付部が特定番組情報を受け付けることに対して課金を行う課金部をさらに具備する、請求項１２記載の番組出力装置。
【請求項１４】
前記番組出力部が出力した番組を示す情報を出力する出力部をさらに具備する、請求項９から請求項１３いずれか記載の番組出力装置。
【請求項１５】
放送予定の番組に関する情報である番組情報を１以上格納している番組情報格納部と、
前記１以上の番組情報を表示する番組情報表示部と、
スケジュールの枠組みを示す情報であるスケジュール枠情報を格納しているスケジュール枠情報格納部と、
前記スケジュール枠情報に基づいてスケジュール枠を表示するスケジュール枠表示部と、前記スケジュール枠表示部が表示したスケジュール枠に対して、前記番組情報表示部が表示した番組情報を配置する指示を受け付ける配置指示受付部と、
前記配置指示受付部が受け付けた指示により特定される番組情報と、当該番組情報が配置されたスケジュール枠が示す時刻の情報である時刻情報とに基づいて、当該番組情報で識別される番組の録画予約の情報である録画予約情報と、前記時刻情報が示す時刻を再生時刻とした、当該録画予約の対象の番組に関する再生時刻の情報である再生時刻情報とを送信する録画再生情報送信部と、を具備する録画再生情報送信装置。
【請求項１６】
前記配置指示受付部は、番組を出力する対象となる機器ごとに、前記スケジュール枠に対する番組情報の配置に関する指示を受け付け、
前記録画再生情報送信部は、前記番組を出力する対象となる機器を識別する情報の付された前記再生時刻情報を送信する、請求項１５記載の録画再生情報送信装置。
【請求項１７】
前記配置指示受付部は、番組を受信する機器ごとに、前記スケジュール枠に対する番組情報の配置に関する指示を受け付け、
前記録画再生情報送信部は、前記番組を受信する機器ごとに、当該機器に対応した、前記録画予約情報と前記再生時刻情報とを送信する、請求項１５記載の録画再生情報送信装置。
【請求項１８】
特定の番組に関する情報である特定番組情報を受け付ける特定番組情報受付部と、
前記特定番組情報受付部が受け付けた特定番組情報を表示する特定番組表示部と、をさらに具備し、
前記配置指示受付部は、前記特定番組表示部が表示した特定番組情報に基づいて、前記番組情報を配置する指示を受け付ける、請求項１５から請求項１７いずれか記載の録画再生情報送信装置。
【請求項１９】
前記特定番組情報受付部が特定番組情報を受け付けることに対して課金を行う課金部をさらに具備する、請求項１８記載の録画再生情報送信装置。
【請求項２０】
コンピュータに、
番組の録画予約の情報である録画予約情報を受け付ける録画予約受付ステップと、
当該録画予約の対象の番組に関する再生時刻の情報である再生時刻情報を受け付ける再生時刻受付ステップと、
前記録画予約受付ステップで受け付けた録画予約情報に基づいて、受信された放送番組を蓄積する番組蓄積ステップと、
前記再生時刻受付ステップで受け付けた再生時刻情報に基づいて、前記番組蓄積ステップで蓄積した番組を再生する番組再生ステップと、を実行させるためのプログラム。
【請求項２１】
コンピュータに、
放送予定の番組に関する情報である１以上の番組情報を表示する番組情報表示ステップと、
スケジュールの枠組みを示す情報であるスケジュール枠情報に基づいてスケジュール枠を表示するスケジュール枠表示ステップと、
前記スケジュール枠表示ステップで表示したスケジュール枠に対して、前記番組情報表示ステップで表示した番組情報を配置する指示を受け付ける配置指示受付ステップと、
前記配置指示受付ステップで受け付けた指示によって特定される番組情報と、当該番組情報が配置されたスケジュール枠が示す時刻の情報である時刻情報とを対応付けて蓄積する番組時刻情報蓄積ステップと、
前記番組時刻情報蓄積ステップで蓄積した時刻情報が示す時刻に、当該時刻情報に対応する番組情報が示す番組を出力する番組出力ステップと、を実行させるためのプログラム。
【請求項２２】
コンピュータに、
特定の番組に関する情報である特定番組情報を受け付ける特定番組情報受付ステップと、前記特定番組情報受付ステップで受け付けた特定番組情報を表示する特定番組表示ステップと、をさらに実行させ、
前記配置指示受付ステップにおいて、前記特定番組表示ステップで表示した特定番組情報に基づいて、前記番組情報を配置する指示を受け付ける、請求項２１記載のプログラム。
【請求項２３】
コンピュータに、
放送予定の番組に関する情報である１以上の番組情報を表示する番組情報表示ステップと、
スケジュールの枠組みを示す情報であるスケジュール枠情報に基づいてスケジュール枠を表示するスケジュール枠表示ステップと、
前記スケジュール枠表示ステップで表示したスケジュール枠に対して、前記番組情報表示ステップで表示した番組情報を配置する指示を受け付ける配置指示受付ステップと、
前記配置指示受付ステップで受け付けた指示によって特定される番組情報と、当該番組情報が配置されたスケジュール枠が示す時刻の情報である時刻情報とに基づいて、当該番組情報で識別される番組の録画予約の情報である録画予約情報と、前記時刻情報が示す時刻を再生時刻とした、当該録画予約の対象の番組に関する再生時刻の情報である再生時刻情報とを送信する録画再生情報送信ステップと、を実行させるためのプログラム。
【請求項２４】
コンピュータに、
特定の番組に関する情報である特定番組情報を受け付ける特定番組情報受付ステップと、前記特定番組情報受付ステップで受け付けた特定番組情報を表示する特定番組表示ステップと、をさらに実行させ、
前記配置指示受付ステップにおいて、前記特定番組表示ステップで表示した特定番組情報に基づいて、前記番組情報を配置する指示を受け付ける、請求項２３記載のプログラム。
【発明の詳細な説明】
【技術分野】
【０００１】
本発明は、放送された番組を受信する番組受信装置等に関する。
【背景技術】
【０００２】
近年、放送番組の録画予約を行う形態としては、さまざまな方法が考えられてきている（例えば、特許文献１参照）。また、録画を行う機器における録画容量の増大に伴って、より多くの番組を録画することができるようになっている。
【特許文献１】特開２００３−１４３５１７号公報（第４頁−第６頁、第１図等）
【発明の開示】
【発明が解決しようとする課題】
【０００３】
しかしながら、より多くの番組を録画予約した場合には、その録画予約した番組を計画的に視聴することが困難となる場合も多く、録画した番組を視聴しないことも起こりえる。
本発明は上記問題点を解決するためになされたものであり、録画予約によって録画した番組を計画的に視聴することができる番組受信装置等を提供することを目的とする。
【課題を解決するための手段】
【０００４】
上記目的を達成するため、本発明による番組受信装置は、放送された番組を受信する番組受信部と、番組の録画予約の情報である録画予約情報を受け付ける録画予約受付部と、当該録画予約の対象の番組に関する再生時刻の情報である再生時刻情報を受け付ける再生時刻受付部と、前記録画予約受付部が受け付けた録画予約情報に基づいて、前記番組受信部が受信した番組を蓄積する番組蓄積部と、前記再生時刻受付部が受け付けた再生時刻情報に基づいて、前記番組蓄積部が蓄積した番組を再生する番組再生部と、を具備するものである。
【０００５】
このように構成された本発明によれば、番組の録画予約と共に、番組の再生時刻の指定を行うことができ、録画予約によって録画した番組を計画的に再生（視聴）することができる。その結果、録画された番組の視聴忘れを防止することができ、また、例えば、午後７時から放送される番組を午後１１時から再生するように設定することで、ユーザの生活パターンに合わせたオンデマンド的な放送番組の視聴を行うことが可能となる。
【０００６】
また、本発明による番組受信装置では、前記番組再生部が、前記再生時刻情報に基づいた番組の再生を開始する時に、他のコンテンツが出力されている場合には、当該コンテンツの出力を中止させ、前記再生時刻情報に基づいた番組の再生を開始してもよい。
このように構成された本発明によれば、あらかじめ設定した再生時刻における番組の再生を優先することができ、録画した番組の再生忘れ（視聴忘れ）を防止することができる。
【０００７】
また、本発明による番組受信装置では、前記再生時刻受付部が受け付けた再生時刻情報が示す再生時刻に基づいて、再生時刻が近づいている旨を出力する警告出力部をさらに具備してもよい。
このように構成された本発明によれば、再生時刻が近づいている旨の出力により、録画した番組の再生が開始されることを知ることができ、特に再生する番組と異なる番組が出力されている場合には、再生時刻が近づいている旨の出力によって、例えば、ユーザの判断により、番組の再生を中止したり、再生する番組と異なる番組の出力を中止したり、あ
るいは、両方ともを表示させるようにしたりすることができる。
【０００８】
また、本発明による番組受信装置では、前記再生時刻情報が示す再生時刻に基づいた番組の再生を開始する時に、前記番組受信装置の主電源がオフの場合には、主電源をオンにする電源制御部をさらに具備してもよい。
このように構成された本発明によれば、再生が開始されるときには、番組受信装置の各構成要素に電源が供給されている状態となり、適切に番組の再生を行うことができる。
【０００９】
また、本発明による番組受信装置では、前記録画予約情報と前記再生時刻情報との受け付けに対して課金を行う課金部をさらに具備してもよい。
このように構成された本発明によれば、録画予約情報と再生時刻情報とが有料で提供される場合に、適切な課金を行うことができる。
【００１０】
また、本発明による情報処理システムは、情報入力装置と、サーバ装置と、前記番組受信装置とを具備する情報処理システムであって、前記情報入力装置が、前記録画予約情報の入力を受け付ける録画予約入力受付部と、前記再生時刻情報の入力を受け付ける再生時刻入力受付部と、前記録画予約情報及び前記再生時刻情報を前記サーバ装置に送信する入力情報送信部と、を具備し、前記サーバ装置が、前記情報入力装置から送信された前記録画予約情報及び前記再生時刻情報を受信する入力情報受信部と、前記入力情報受信部が受信した前記録画予約情報及び前記再生時刻情報を、前記番組受信装置に送信する受信情報送信部と、を具備するものである。
【００１１】
このように構成された本発明によれば、番組の録画予約と共に、番組の再生時刻の指定を行うことができ、録画予約によって録画した番組を計画的に再生（視聴）することができる。また、番組受信装置への直接のアクセスを行うことなく、サーバ装置を介して録画予約情報等を送信することにより、番組受信装置のセキュリティーを高めることも可能となりうる。
【００１２】
また、本発明による番組出力装置は、放送予定の番組に関する情報である番組情報を１以上格納している番組情報格納部と、前記１以上の番組情報を表示する番組情報表示部と、スケジュールの枠組みを示す情報であるスケジュール枠情報を格納しているスケジュール枠情報格納部と、前記スケジュール枠情報に基づいてスケジュール枠を表示するスケジュール枠表示部と、前記スケジュール枠表示部が表示したスケジュール枠に対して、前記番組情報表示部が表示した番組情報を配置する指示を受け付ける配置指示受付部と、前記配置指示受付部が受け付けた指示により特定される番組情報と、当該番組情報が配置されたスケジュール枠が示す時刻の情報である時刻情報とを対応付けて蓄積する番組時刻情報蓄積部と、前記番組時刻情報蓄積部が蓄積した時刻情報が示す時刻に、当該時刻情報に対応する番組情報が示す番組を出力する番組出力部と、を具備するものである。
このように構成された本発明によれば、ユーザが簡便な方法により番組の出力時刻の設定を行うことができる。
【００１３】
また、本発明による番組出力装置では、放送された番組を受信する番組受信部と、前記番組受信部が受信した番組であって、前記番組時刻情報蓄積部が蓄積した番組情報が示す番組を蓄積する番組蓄積部と、をさらに具備し、前記番組出力部が、前記番組蓄積部が蓄積した番組を、当該番組の番組情報に対応付けて蓄積された時刻情報が示す時刻に出力してもよい。
【００１４】
このように構成された本発明によれば、ユーザが番組の出力時刻の設定を行うのみで、番組の録画予約をも行うことができ、ユーザが出力時刻の設定と別途、録画予約の設定を行う作業を省略することができ、ユーザの利便性を向上させることができる。
【００１５】
また、本発明による番組出力装置では、前記配置指示受付部が、番組を出力する対象となる機器ごとに、前記スケジュール枠に対する番組情報の配置に関する指示を受け付け、前記番組時刻情報蓄積部が、前記番組情報及び前記時刻情報を、前記番組を出力する対象となる機器ごとに蓄積し、前記番組出力が、前記番組を出力する対象となる機器ごとに、当該機器に応じた番組の出力を行ってもよい。
このように構成された本発明によれば、例えば、子供部屋で出力する番組と、リビングルームで出力する番組とを変えることができ、各機器に相応しい番組の出力を行うことができる。
【００１６】
また、本発明による番組出力装置では、特定の番組に関する情報である特定番組情報を受け付ける特定番組情報受付部と、前記特定番組情報受付部が受け付けた特定番組情報を表示する特定番組表示部と、をさらに具備し、前記配置指示受付部は、前記特定番組表示部が表示した特定番組情報に基づいて、前記番組情報を配置する指示を受け付けてもよい。
【００１７】
このように構成された本発明によれば、ユーザは、特定番組情報を用いて、容易に、番組の出力時刻の設定を行うことができる。特に、特定番組情報によりユーザ所望の番組が示される場合には、番組表などを参照することにより、多くの番組の中から所望の番組を抽出するような煩雑な作業をユーザが行わなくてよいこととなる。
【００１８】
また、本発明による番組出力装置では、前記特定番組情報受付部が特定番組情報を受け付けることに対して課金を行う課金部をさらに具備してもよい。
このように構成された本発明によれば、特定番組情報が有料で配信される場合に、適切に課金を行うことができる。
【００１９】
また、本発明による番組出力装置では、前記番組出力部が出力した番組を示す情報を出力する出力部をさらに具備してもよい。
このように構成された本発明によれば、その番組出力部が出力した番組を示す情報を用いることにより、例えば、番組の視聴調査等を行うことができ、あるいは、どのような番組が出力されたのかを、ユーザがチェックすることができる。
【００２０】
また、本発明による録画再生情報送信装置は、放送予定の番組に関する情報である番組情報を１以上格納している番組情報格納部と、前記１以上の番組情報を表示する番組情報表示部と、スケジュールの枠組みを示す情報であるスケジュール枠情報を格納しているスケジュール枠情報格納部と、前記スケジュール枠情報に基づいてスケジュール枠を表示するスケジュール枠表示部と、前記スケジュール枠表示部が表示したスケジュール枠に対して、前記番組情報表示部が表示した番組情報を配置する指示を受け付ける配置指示受付部と、前記配置指示受付部が受け付けた指示により特定される番組情報と、当該番組情報が配置されたスケジュール枠が示す時刻の情報である時刻情報とに基づいて、当該番組情報で識別される番組の録画予約の情報である録画予約情報と、前記時刻情報が示す時刻を再生時刻とした、当該録画予約の対象の番組に関する再生時刻の情報である再生時刻情報とを送信する録画再生情報送信部と、を具備するものである。
このように構成された本発明によれば、ユーザは、番組の指定と、再生時刻の指定を行うのみで、録画予約情報と再生時刻情報とを送信することができ、それらの情報を用いて、録画予約や再生予約を行うことができる。
【００２１】
また、本発明による録画再生情報送信装置では、前記配置指示受付部が、番組を出力する対象となる機器ごとに、前記スケジュール枠に対する番組情報の配置に関する指示を受け付け、前記録画再生情報送信部が、前記番組を出力する対象となる機器を識別する情報
の付された前記再生時刻情報を送信してもよい。
このように構成された本発明によれば、機器ごとに出力する番組を変更することができる。
【００２２】
また、本発明による録画再生情報送信装置では、前記配置指示受付部が、番組を受信する機器ごとに、前記スケジュール枠に対する番組情報の配置に関する指示を受け付け、前記録画再生情報送信部が、前記番組を受信する機器ごとに、当該機器に対応した、前記録画予約情報と前記再生時刻情報とを送信してもよい。
このように構成された本発明によれば、番組を受信する機器ごとに、送信する録画予約情報及び再生時刻情報を変更することができる。
【００２３】
また、本発明による録画再生情報送信装置では、特定の番組に関する情報である特定番組情報を受け付ける特定番組情報受付部と、前記特定番組情報受付部が受け付けた特定番組情報を表示する特定番組表示部と、をさらに具備し、前記配置指示受付部が、前記特定番組表示部が表示した特定番組情報に基づいて、前記番組情報を配置する指示を受け付けてもよい。
このように構成された本発明によれば、特定番組情報を用いて、容易に、番組の出力時刻の設定を行うことができる。
【００２４】
また、本発明による録画再生情報送信装置では、前記特定番組情報受付部が特定番組情報を受け付けることに対して課金を行う課金部をさらに具備してもよい。
このように構成された本発明によれば、特定番組情報が有料で配信される場合に、適切に課金を行うことができる。
【発明の効果】
【００２５】
本発明による番組受信装置等によれば、録画予約と共に視聴予約等を行うことができるため、録画した番組の計画的な視聴を行うことができる。
【発明を実施するための最良の形態】
【００２６】
（実施の形態１）
以下、本発明の実施の形態１による情報処理システムについて、図面を参照しながら説明する。
図１、図２は、本実施の形態による情報処理システムの構成を示すブロック図である。図１、図２において、本実施の形態による情報処理システムは、通信回線２０を介して接続された、番組受信装置１０と、情報入力装置３０と、サーバ装置４０とを備える。
【００２７】
図１において、番組受信装置１０は、さらに、アンテナ１と、番組受信部２と、録画予約受付部３と、録画予約蓄積部４と、番組蓄積部５と、再生時刻受付部６と、再生時刻蓄積部７と、番組再生部８と、警告出力部９と、電源制御部１１と、主電源１２とを備える。
【００２８】
番組受信部２は、放送された番組をアンテナ１を介して受信する。ここで、放送は、地上波放送や衛星放送でもよく、ケーブルテレビによる放送でもよく、インターネット配信によるインターネット放送でもよい。
録画予約受付部３は、番組の録画予約の情報である録画予約情報を受け付ける。この録画予約情報は、放送番組を録画予約するために必要な情報が含まれており、例えば、放送日時と放送チャンネル（あるいは、放送局を識別する情報）を含んでいてもよく、録画予約のために用いられる制御コードでもよい。ここで、放送日時の示す日付は、例えば、「２００３年８月１日」でもよく、「今日」や、「明日」でもよい。また、制御コードとは、例えば、１０桁以内の数字により、番組を放送する放送局を識別する情報と、番組の開
始時刻と、番組の長さ（時間）とを示す情報のことである。放送局を識別する情報は、所定の対応表を用いることにより、その地域における放送チャンネルに変換される。なお、本実施の形態では、録画予約受付部３が有線または無線の通信回線２０を介して録画予約情報を受け付ける場合について説明するが、録画予約受付部３は、所定の記録媒体から読み出された録画予約情報を受け付けてもよく、あるいは入力デバイス（例えば、キーボードなど）により入力された録画予約情報を受け付けてもよい。
【００２９】
録画予約蓄積部４は、録画予約受付部３が受け付けた録画予約情報を、所定の記録媒体に蓄積する。この記録媒体は、例えば、半導体メモリや、光ディスク、磁気ディスク等であり、録画予約蓄積部４が有していてもよく、あるいは録画予約蓄積部４の外部（番組受信装置１０の外部でもよい）に存在してもよい。
【００３０】
番組蓄積部５は、録画予約受付部３が受け付け、録画予約蓄積部４が蓄積した録画予約情報に基づいて、番組受信部２が受信した番組を、所定の記録媒体に蓄積する。この記録媒体は、例えば、半導体メモリや、光ディスク、磁気ディスク、磁気テープ等であり、番組蓄積部５が有していてもよく、あるいは番組蓄積部５の外部（番組受信装置１０の外部でもよい）に存在してもよい。
【００３１】
再生時刻受付部６は、録画予約の対象の番組に関する再生時刻の情報である再生時刻情報を受け付ける。この再生時刻情報は、録画された番組を再生するために必要な情報が含まれており、例えば、録画された番組を識別するための番組識別子と、その番組を再生する再生日時とが含まれる。なお、本実施の形態では、再生時刻受付部６が有線または無線の通信回線２０を介して再生時刻情報を受け付ける場合について説明するが、再生時刻受付部６は、所定の記録媒体から読み出された再生時刻情報を受け付けてもよく、あるいは入力デバイス（例えば、キーボードなど）により入力された再生時刻情報を受け付けてもよい。
【００３２】
再生時刻蓄積部７は、再生時刻受付部６が受け付けた再生時刻情報を、所定の記録媒体に蓄積する。この記録媒体は、例えば、半導体メモリや、光ディスク、磁気ディスク等であり、再生時刻蓄積部７が有していてもよく、あるいは再生時刻蓄積部７の外部（番組受信装置１０の外部でもよい）に存在してもよい。
【００３３】
番組再生部８は、再生時刻受付部６が受け付け、再生時刻蓄積部７が蓄積した再生時刻情報に基づいて、番組蓄積部５が蓄積した番組を再生する。この番組再生部８は、再生した番組を表示するための表示デバイス（例えば、ＣＲＴや液晶ディスプレイなど）を含んでいてもよく、あるいは表示デバイスを駆動するドライバ等のソフトウェアであってもよい。ただし、本実施の形態では、再生した番組をディスプレイ１３に表示する場合について説明する。
【００３４】
警告出力部９は、再生時刻情報が示す再生時刻に基づいて、再生時刻が近づいている旨の警告（アラート）を出力する。その出力の形態は、音声によるものでもよく、視覚的なものであってもよい。視覚的なものとしては、例えば、ディスプレイ１３に再生時刻が近づいている旨を表示してもよく、あるいは、再生時刻が近づいた旨をフラッシュや所定のランプを点灯することにより知らせてもよい。
【００３５】
電源制御部１１は、再生時刻情報が示す再生時刻に基づいた番組の再生を開始する時に、番組受信装置１０の主電源１２がオフになっている場合には、その主電源１２をオンにする。ここで、主電源１２は、発電所から送電された電力や、バッテリーから供給される電力を番組受信装置１０の各構成要素に供給する電源である。ただし、録画時刻や再生時刻のチェックを常駐的に行う番組蓄積部５や番組再生部８等は、主電源１２がオフであっ
ても、録画時刻のチェックなどを行うことができるものとする。
【００３６】
図２において、情報入力装置３０は、さらに、録画予約入力受付部３１と、再生時刻入力受付部３２と、入力情報送信部３３とを備える。録画予約入力受付部３１は、録画予約情報の入力を受け付ける。再生時刻入力受付部３２は、再生時刻の入力を受け付ける。なお、録画予約入力受付部３１や再生時刻入力受付部３２は、録画予約情報等の入力に用いられる入力デバイス（例えば、キーボードや、マウスなど）を含んでいてもよく、あるいはそれらの入力デバイスからの録画予約情報等を受け付けるだけでもよい。入力情報送信部３３は、録画予約入力受付部３１が受け付けた録画予約情報と、再生時刻入力受付部３２が受け付けた再生時刻情報とをサーバ装置４０に送信する。
【００３７】
サーバ装置４０は、さらに、入力情報受付部４１と、受信情報送信部４２とを備える。入力情報受付部４１は、情報入力装置３０から送信された録画予約情報、及び再生時刻情報を受信する。受信情報送信部４２は、入力情報受信部４１が受信した録画予約情報、及び再生時刻情報を番組受信装置１０に送信する。なお、サーバ装置４０は、家庭内ネットワークにおけるホームサーバであってもよく、あるいは、業務用のサーバ（例えば、所定のプロバイダなど）であってもよい。
【００３８】
次に、本実施の形態による情報処理システムの動作について説明する。
図３は、情報入力装置３０の動作を示すフローチャートである。
（ステップＳ１０１）録画予約入力受付部３１は、録画予約情報の入力があるかどうかを判断する。録画予約情報の入力があった場合には、その録画予約情報を入力情報送信部３３に渡してステップＳ１０２に進み、録画予約情報の入力がない場合には、ステップＳ１０３に進む。
【００３９】
（ステップＳ１０２）入力情報送信部３３は、録画予約入力受付部３１から受け取った録画予約情報をサーバ装置４０に送信する。
（ステップＳ１０３）再生時刻入力受付部３２は、再生時刻情報の入力があるかどうかを判断する。再生時刻情報の入力があった場合には、その再生時刻情報を入力情報送信部３３に渡してステップＳ１０４に進み、再生時刻情報の入力がない場合には、ステップＳ１０１に戻る。
【００４０】
（ステップＳ１０４）入力情報送信部３３は、再生時刻入力受付部３２から受け取った再生時刻情報をサーバ装置４０に送信する。
なお、図３のフローチャートでは、録画予約情報と再生時刻情報とを別々にサーバ装置４０に送信する場合について説明しているが、録画予約情報と再生時刻情報とが連続して、あるいは同時に入力される場合には、それらをまとめてサーバ装置４０に送信してもよい。ここで、録画予約情報と再生時刻情報とを別々にサーバ装置４０に送信する場合であっても、サーバ装置４０においてそれらの情報をリンク付けることができるように、録画予約情報と再生時刻情報とに、共通の識別情報などを付加してもよい。
【００４１】
また、録画予約情報や再生時刻情報をサーバ装置４０に送信するときには、入力情報送信部３３は、その録画予約情報等を用いて録画予約等を行う番組受信装置１０を識別する識別情報を録画予約情報等と共にサーバ装置４０に送信するものとする。
【００４２】
図４は、サーバ装置４０の動作を示すフローチャートである。
（ステップＳ２０１）入力情報受信部４１は、情報入力装置３０から送信された録画予約情報等を受信したかどうかを判断する。そして、受信した場合にはステップＳ２０２に進み、受信していない場合には受信するまでステップＳ２０１の動作を繰り返す。
【００４３】
（ステップＳ２０２）受信情報送信部４２は、入力情報受信部４１が受信した録画予約情報等を番組受信装置１０に送信する。このときには、録画予約情報等と共に送信された識別情報によって識別される番組受信装置１０に対して、その送信を行う。
【００４４】
なお、サーバ装置４０は、録画予約情報や再生時刻情報を受け取った場合に、その受け取った情報のみ（例えば、録画予約情報のみ）を送信してもよく、あるいは、録画予約情報と再生時刻情報とをまとめて番組受信装置１０に送信してもよい。
【００４５】
図５は、番組受信装置１０の動作を示すフローチャートである。
（ステップＳ３０１）録画予約受付部３は、録画予約情報を受け付けたかどうかを判断する。そして、録画予約情報を受け付けた場合には、録画予約情報を録画予約蓄積部４に渡してステップＳ３０２に進み、受け付けていない場合には、ステップＳ３０３に進む。なお、録画予約受付部３が受け付けた録画予約情報が制御コードである場合には、録画予約受付部３は、その制御コードを、例えば放送日時と放送チャンネルに変換した録画予約情報を録画予約蓄積部４に渡す。また、録画予約受付部３が受け付けた放送の日付が、「今日」や「明日」という場合には、それらを具体的な放送年月日（例えば、２００３年８月１日など）に変換した録画予約情報を録画予約蓄積部４に渡す。
【００４６】
（ステップＳ３０２）録画予約蓄積部４は、録画予約受付部３から受け取った録画予約情報を所定の記録媒体に蓄積し、ステップＳ３０１に戻る。図６（ａ）は、録画予約蓄積部４が蓄積した録画予約情報の一例を示す図である。図６（ａ）の例では、録画予約情報には、放送日時と放送チャンネルとが含まれており、放送日時には、放送年月日と、放送番組の開始時刻を示す番組開始時刻と、放送番組の終了時刻を示す番組終了時刻とが含まれている。
【００４７】
（ステップＳ３０３）再生時刻受付部６は、再生時刻情報を受け付けたかどうかを判断する。そして、再生時刻情報を受け付けた場合には、再生時刻情報を再生時刻蓄積部７に渡してステップＳ３０４に進み、受け付けていない場合には、ステップＳ３０５に進む。
【００４８】
（ステップＳ３０４）再生時刻蓄積部７は、再生時刻受付部６から受け取った再生時刻情報を所定の記録媒体に蓄積し、ステップＳ３０１に戻る。図６（ｃ）は、再生時刻蓄積部７が蓄積した再生時刻情報の一例を示す図である。図６（ｃ）の例では、再生時刻情報には、再生年月日と再生開始時刻が含まれており、番組を識別する番組識別子が対応付けられている。この番組識別子は、再生時刻情報と共に送信されたものを再生時刻受付部６が受け付けたものでもよく、あるいは、録画予約受付部３と、再生時刻受付部６とが、それぞれ録画予約情報と再生時刻情報とを連続して、あるいは同時に受け取った場合には、その録画予約情報を用いて作成されたものでもよい。
【００４９】
（ステップＳ３０５）番組蓄積部５は、録画予約蓄積部４が蓄積した録画予約情報を参照することにより、録画時刻（番組開始時刻）が近づいてきた番組があるかどうかを、現在時刻と番組開始時刻との差が所定のしきい値（例えば、３０秒）以下となったかどうかにより判断する。録画時刻が近づいてきた場合には、その旨を電源制御部１１に伝えてステップＳ３０６に進み、まだ録画時間が近づいてきていない場合には、ステップＳ３１０に進む。
【００５０】
（ステップＳ３０６）電源制御部１１は、番組蓄積部５から録画時刻が近づいてきた旨を受け取ると、主電源１２がオンになっているかどうかを判断する。そして、オンになっている場合には、ステップＳ３０８に進み、オンになっていない場合には、ステップＳ３０７に進む。
（ステップＳ３０７）電源制御部１１は、主電源１２をオンにする。
【００５１】
（ステップＳ３０８）番組蓄積部５は、番組開始時刻が近づいてきている番組の放送チャンネルを番組受信部２に受信させ、その番組の番組開始時刻から、番組受信部２が受信した番組の録画（記録媒体への蓄積）を開始する。なお、図６（ｂ）で示すように、番組は、番組識別子に対応付けて蓄積する。ここで、番組識別子は、番組を識別することができるものであればどのようなものでもよいが、図６（ｂ）の例では、番組識別子のはじめの８桁は録画対象となる番組の放送年月日、次の４桁は番組開始時刻、次の２桁は放送チャネルとなっている。なお、録画を開始した後に、録画を終了する時刻（番組終了時刻）になったときには、番組蓄積部５は録画（番組の蓄積）を終了する。
【００５２】
（ステップＳ３０９）番組蓄積部５は、録画を開始した録画予約情報のレコードにおける番組終了時刻を記憶した後に、そのレコードを削除する旨の指示を録画予約蓄積部４に与える。そして、録画予約蓄積部４は、そのレコードを削除する。
【００５３】
（ステップＳ３１０）番組再生部８は、再生時刻蓄積部７が蓄積した再生時刻情報を参照することにより、再生時刻（再生開始時刻）が近づいてきた番組があるかどうかを、現在時刻と再生開始時刻との差が所定のしきい値（例えば、３０秒）以下となったかどうかにより判断する。再生時刻が近づいてきた場合には、その旨を警告出力部９と電源制御部１１とに伝えてステップＳ３１１に進み、まだ再生時刻が近づいてきていない場合には、ステップＳ３０１に戻る。
【００５４】
（ステップＳ３１１）電源制御部１１は、番組再生部８から再生時刻が近づいてきた旨を受け取ると、主電源１２がオンになっているかどうかを判断する。そして、オンになっている場合には、ステップＳ３１３に進み、オンになっていない場合には、ステップＳ３１２に進む。
（ステップＳ３１２）電源制御部１１は、主電源１２をオンにする。
【００５５】
（ステップＳ３１３）警告出力部９は、番組再生部８から再生時刻が近づいてきた旨を受け取ると、その旨を示す警告（アラート）を出力する。この警告は、再生時刻が近づいた旨を単に知らせるものでもよく、再生開始時刻（例えば、９時０分など）を知らせるものでもよく、あるいは、再生開始時刻までのカウントダウンでもよい。
【００５６】
（ステップＳ３１４）番組再生部８は、番組が出力中であるかどうか、すなわち、番組受信部２が受信した放送番組をディスプレイ１３に出力しているかどうか、あるいは番組再生部８自身が所定の番組の再生をしているかどうかを判断する。そして、所定の番組が出力中である場合には、ステップＳ３１５に進み、番組が出力中でない場合には、ステップＳ３１６に進む。
【００５７】
（ステップＳ３１５）番組再生部８は、出力中の番組の出力を中止させる。すなわち、番組受信部２が受信した放送番組をディスプレイ１３に出力している場合には、その出力を中止させる。また、番組再生部８自身が所定の番組を再生してディスプレイ１３に出力している場合には、その再生を中止する。
【００５８】
（ステップＳ３１６）番組再生部８は、番組の再生開始時刻から、番組蓄積部５から読み出した番組の再生を開始する。なお、再生を開始した後に、再生していた番組が終了したときには、番組再生部８は番組の再生を終了する。
（ステップＳ３１７）番組再生部８は、再生を開始した再生時刻情報のレコードを削除する旨の指示を再生時刻蓄積部７に与える。すると、再生時刻蓄積部７は、そのレコードを削除する。
【００５９】
なお、図３から図５のフローチャートにおいて、電源オフや処理終了の割り込みにより処理は終了する。また、録画予約情報や再生時刻情報におけるレコードの削除は、録画や再生が終了した後に行ってもよい。
【００６０】
次に、本実施の形態による情報処理システムの動作について、具体例を用いて説明する。この具体例では、情報入力装置３０が携帯電話である場合について説明する。
まず、録画予約情報と再生時刻情報を情報入力装置３０が送信し、番組受信装置１０が送信された録画予約情報等を蓄積する動作について説明する。
【００６１】
図７は、情報入力装置３０の外観を示す模式図である。情報入力装置３０において録画予約情報を入力するソフトウェア・プログラムを起動すると、まず、図７の液晶ディスプレイ３５の表示がなされる。ユーザは、上下ボタンを操作することにより、フォーカスを「録画予約」に移動させ、選択ボタン３６を押す。すると、図８（ａ）で示すように、録画予約を行う表示がなされる。図８（ａ）の表示において、ユーザが録画予約を行う番組の放送年月日に「２００３年８月１日」を入力し、番組開始時刻に「２１：００」を入力し、番組終了時刻に「２２：００」を入力し、放送チャンネルに「４」を入力してからフォーカスを「ＯＫ」に移動させて選択ボタン３６を押したとする。すると、ユーザが入力した録画予約情報が、録画予約入力受付部３１で受け付けられ（ステップＳ１０１）、入力情報送信部３３から通信回線２０を介してサーバ装置４０に送信される（ステップＳ１０２）。なお、入力情報送信部３３は、番組受信装置１０を識別する識別情報であるメールアドレス「ａａａ＠×××．ｃｏ．ｊｐ」を録画予約情報と共に送信する。
【００６２】
サーバ装置４０の入力情報受信部４１は、情報入力装置３０から送信された録画予約情報とメールアドレス「ａａａ＠×××．ｃｏ．ｊｐ」とを受信し、それらを受信情報送信部４２に渡す（ステップＳ２０１）。すると、受信情報送信部４２は、メールアドレス「ａａａ＠×××．ｃｏ．ｊｐ」を宛先として、録画予約情報を送信する（ステップＳ２０２）。
【００６３】
番組受信装置１０の録画予約受付部３は、所定のメールサーバを介してサーバ装置４０から送信された録画予約情報を受け付ける（ステップＳ３０１）。そして、録画予約蓄積部４が、その録画予約情報を蓄積する（ステップＳ３０２）。図６（ａ）の１番目のレコードが、そのようにして蓄積された録画予約情報に対応している。
【００６４】
次に、情報入力装置３０の液晶ディスプレイ３５には、図８（ｂ）で示すように、録画予約が完了した旨と、再生予約を行うかどうかを確認する旨が表示される。ユーザが再生予約を望む場合には、フォーカスを「はい」に移動させ、選択ボタン３６を押す。すると、録画予約をした番組を示す番組識別子「２００３０８０１２１０００４」が録画予約入力受付部３１から再生時刻入力受付部３２に渡される。そして、図８（ｃ）で示すように、液晶ディスプレイ３５に再生予約の表示がなされる。ユーザが再生予約を行う年月日に「２００３年８月３日」を入力し、再生開始時刻に「９：００」を入力してからフォーカスを「ＯＫ」に移動させて選択ボタン３６を押したとする。すると、ユーザが入力した再生時刻情報が再生時刻入力受付部３２で受け付けられ（ステップＳ１０３）、メールアドレス「ａａａ＠×××．ｃｏ．ｊｐ」と、番組識別子「２００３０８０１２１０００４」と共に、入力情報送信部３３によってサーバ装置４０に送信される（ステップＳ１０４）。一方、ユーザが再生予約を望まない場合には、図８（ｂ）の表示において、クリヤボタン３７を押すことにより、録画予約が終了される。
【００６５】
情報入力装置３０から送信された再生時刻情報と、メールアドレス「ａａａ＠×××．ｃｏ．ｊｐ」と、番組識別子「２００３０８０１２１０００４」は、サーバ装置４０の入力情報受信部４１で受信され（ステップＳ２０１）、受信情報送信部４２に渡される。受
信情報送信部４２は、受信された再生時刻情報と、番組識別子「２００３０８０１２１０００４」とを、メールアドレス「ａａａ＠×××．ｃｏ．ｊｐ」を宛先として送信する（ステップＳ２０２）。
【００６６】
番組受信装置１０の再生時刻受付部６は、所定のメールサーバを介してサーバ装置４０から送信された再生時刻情報と、番組識別子「２００３０８０１２１０００４」とを受け付ける（ステップＳ３０３）。そして、再生時刻蓄積部７が、その再生時刻情報と番組識別子とを対応付けて蓄積する（ステップＳ３０４）。図６（ｃ）の１番目のレコードが、そのようにして蓄積された番組識別子と再生時刻情報に対応している。
情報入力装置３０の液晶ディスプレイ３５に、図８（ｄ）で示される表示がなされることにより、再生予約を行ったユーザは、再生予約が完了した旨を知ることができる。
【００６７】
なお、この具体例では、録画予約と再生予約を連続して行う場合について説明したが、録画予約のみ、あるいは再生予約のみを行ってもよい。また、再生予約時の再生日時が、再生の対象となる番組の録画予約の番組開始時刻よりも以前の場合には、エラーである旨をユーザに示すようにしてもよい。
【００６８】
次に、番組を録画する動作について説明する。録画予約蓄積部４が図６（ａ）で示される録画予約情報を蓄積したとする。この場合に、２００３年８月１日２１時の３０秒前になると、番組蓄積部５は、録画時刻が近づいていると判断し（ステップＳ３０５）、主電源１２がオンであるかどうかを電源制御部１１に判断させる（ステップＳ３０６）。そして、主電源１２がオフであれば主電源１２をオンにさせ（ステップＳ３０７）、番組受信部２に４チャンネルの放送を受信させて、２１時に、番組受信部２の受信した放送番組の蓄積を開始する（ステップＳ３０８）。このときには、録画予約情報から作成した番組識別子「２００３０８０１２１０００４」に対応付けて放送番組のデータを蓄積する。蓄積の対象である番組の番組名が「ドラマ００１」であり、番組蓄積部５がＭＰＥＧ形式で番組の蓄積を行う場合には、番組蓄積部５が蓄積した番組は、図６（ｂ）の１番目のレコードで示されるものとなる。その後、番組蓄積部５は、録画予定情報から番組終了時刻を取得し、録画を開始した録画予約情報のレコードを削除する指示を録画予約蓄積部４に与える。そして、そのレコードが削除される（ステップＳ３０９）。
【００６９】
次に、番組を再生する動作について説明する。再生時刻蓄積部７が図６（ｃ）で示される再生時刻情報を蓄積したとする。この場合に、２００３年８月３日９時の３０秒前になると、番組再生部８は、再生時刻が近づいていると判断する（ステップＳ３１０）。ここで、この時には、主電源１２がオンであり（ステップＳ３１１）、番組受信部２が台風情報の番組を受信してディスプレイ１３に表示していた場合には、警告出力部９が、再生時刻が近づいた旨をディスプレイ１３に出力することにより、ディスプレイ１３に図９の表示がなされる（ステップＳ３１３）。この表示によって、台風情報を視聴しているユーザは、もう少しすると（９時から）再生予約を行っていた番組の再生が開始されることを知ることができる。
【００７０】
その後、番組再生部８は、番組受信部２が台風情報の番組を受信し、ディスプレイ１３に出力しているため、番組の出力中であると判断し（ステップＳ３１４）、番組受信部２に対して番組の出力を中止する旨の指示を出す。そして、番組受信部２が台風情報の受信と出力を中止することにより、番組の出力が中止され（ステップＳ３１５）、９時から番組の再生が開始される（ステップＳ３１６）。このときには、番組再生部８は、再生時刻蓄積部７が蓄積した再生時刻情報の番組識別子「２００３０８０１２１０００４」に対応する番組のデータ「ドラマ００１．ｍｐｇ」を番組蓄積部５から読み出して再生する。そして、再生を開始した再生時刻情報のレコードを削除する指示を再生時刻蓄積部７に与える。その結果、そのレコードが削除される（ステップＳ３１７）。
【００７１】
以上のように、本実施の形態による情報処理システムによれば、番組受信装置１０が、録画予約情報を受け付ける録画予約受付部３と、録画予約の対象の番組に関する再生時刻の情報である再生時刻情報を受け付ける再生時刻受付部６と、録画予約受付部３が受け付けた録画予約情報に基づいて、番組受信部２が受信した番組を蓄積する番組蓄積部５と、再生時刻受付部６が受け付けた再生時刻情報に基づいて、番組蓄積部５が蓄積した番組を再生する番組再生部８とを備えたことで、番組の録画予約と共に、番組の再生予約をも行うことができ、録画予約によって録画した番組を計画的に視聴することができる。
【００７２】
また、サーバ装置４０を介して録画予約情報等を情報入力装置３０から番組受信装置１０に送信することで、セキュリティーを向上させることができる。すなわち、通常、番組受信装置１０は一般家庭に設置されると考えられるが、その場合に、情報入力装置３０から直接、番組受信装置１０にアクセスできるのではなく、サーバ装置４０を介してアクセスするようにすることで、番組受信装置１０にユーザの望まない録画予約が設定されたり、再生時刻が設定されたりすることを防止することができる。
なお、録画予約受付部３と、再生時刻受付部６とをハードウェアとして実現する場合には、単一の情報受付部により実現されてもよく、あるいは、別個に設けられてもよい。
【００７３】
また、録画予約受付部３による録画予約の受け付けと、再生時刻受付部６による再生時刻の受け付けは、同時、もしくは連続してなされてもよく、またはまったく別個になされてもよい。
【００７４】
また、録画予約受付部３は、装置外部からの録画予約情報を受け取るものでなくてもよい。例えば、装置外部からは、番組を識別する情報とその番組の再生時刻情報とが入力され、それらの情報に基づいて、番組の放送予定を格納している格納部から取得された録画予約情報を、録画予約受付部３が受け付けてもよい。
【００７５】
また、本実施の形態では、警告出力部９と電源制御部１１が、番組再生部８や番組蓄積部５から番組放送時刻や再生時刻が近づいている旨を受け取る場合について説明したが、警告出力部９や電源制御部１１自身が再生時刻情報や録画予約情報を参照することにより、再生時刻等が近づいていることを判断してもよい。
【００７６】
また、本実施の形態では、警告出力部９が再生時刻が近づいているときには、その旨を出力するとしたが、再生時刻が近づき、かつ所定の番組が出力中である場合にのみ、警告出力部９が再生時刻が近づいている旨を出力するようにしてもよい。
【００７７】
また、本実施の形態では、番組再生部８が再生を開始する時に、他の番組が出力されている場合には、他の番組の出力を中止させてから番組の出力を行う場合について説明したが、他の番組が出力されている場合には、例えば、それまでに出力されている番組を一つのウィンドーに表示し、再生を開始する番組を他のウィンドーに表示してもよい。
【００７８】
また、本実施の形態では、情報入力装置３０が携帯電話である場合について説明したが、情報入力装置３０は、例えば、ＰＤＡ（Ｐｅｒｓｏｎａｌ  ｄｉｇｉｔａｌ  Ａｓｓｉｓｔａｎｔ）や、ＰＣ（Ｐｅｒｓｏｎａｌ  Ｃｏｍｐｕｔｅｒ）などであってもよい。
【００７９】
また、本実施の形態では、情報入力装置３０が携帯電話であり、ユーザ自らが録画予約情報や再生時刻情報を送信する場合について説明したが、録画予約情報と再生時刻情報とをセットにして所定のサーバ等が販売してもよく、その場合には、サーバ等の側で課金処理を行ってもよく、あるいは図１０で示すように番組受信装置１０に課金部１４を設け、その課金部１４により、録画予約情報や再生時刻情報を受け付けたことに対して課金を行
ってもよい。この課金部１４は、録画予約受付部３及び再生時刻受付部６により、録画予約情報と再生時刻情報のセットが受け付けられたときに、そのセットの個数のカウンタをインクリメントしてもよく、あるいは、その録画予約情報と再生時刻情報とを示す情報を所定の記録媒体に蓄積してもよい。そして、所定のルールにしたがって、ユーザに対する課金を行う。例えば、毎月２０日に課金部１４がカウント値と番組出力装置（あるいはユーザ）を識別する識別情報とを図示しない通信手段を介して銀行に送信し、銀行がカウント値に所定の金額を掛けたものを、識別情報で特定されるユーザの口座から引き落とすことによりユーザへの課金がなされる。あるいは、クレジットカードを用いて課金を行ってもよい。また、課金部１４は、課金に関する情報（例えば、カウント値など）を保持するだけのものであり、所定のサーバが課金部１４にアクセスすることにより、その課金に関する情報を取得するようにしてもよい。
【００８０】
また、再生時刻受付部６の受け付けた再生時刻情報に、再生した番組を渡す対象となる機器を識別する機器識別子が含まれている場合には、番組再生部８は、その機器識別子に応じた機器に再生した番組を渡してもよい。
【００８１】
また、再生時刻情報には再生年月日が含まれる場合について説明したが、例えば、サーバ装置４０が毎日０時に、その日に再生する番組の再生時刻情報を番組受信装置１０に配信するような場合等には、再生時刻情報は再生年月日を含まなくてもよい。
【００８２】
また、サーバ装置４０から番組受信装置１０への録画予約情報等の送信は、サーバ装置４０が一方的に送信してもよく、番組受信装置１０からの要請に基づいて、サーバ装置４０が録画予約情報等を番組受信装置１０に送信してもよい。後者の場合には、所定の期間ごとに、あるいは所定のイベントをトリガーとして番組受信装置１０が録画予約情報等をサーバ装置４０に取りに行くこととなるため、録画予約受付部３や再生時刻受付部６が情報の受け付けを絶えず行う必要がなくなる。
【００８３】
また、本実施の形態では、番組の再生を開始する時に、他の番組が出力中である場合に、番組再生部８がその出力を中止させ、番組の再生を開始すると説明したが、他のコンテンツが出力中である場合にも、番組再生部８はそのコンテンツの出力を中止させ、番組の再生を開始してもよい。ここで、コンテンツの出力には、番組受信部２が受信する番組や、番組再生部８が再生する番組の出力、あるいは、ゲームソフトやワードプロセッサソフトなどのアプリケーションなどの結果の出力が含まれる。
【００８４】
（実施の形態２）
以下、本発明の実施の形態２による番組出力装置について、図面を参照しながら説明する。
図１１は、本実施の形態による番組出力装置の構成を示すブロック図である。図１１において、本実施の形態による番組出力装置は、番組情報格納部５１と、番組情報表示部５２と、スケジュール枠情報格納部５３と、スケジュール枠表示部５４と、配置指示受付部５５と、番組時刻情報蓄積部５６と、アンテナ５７と、番組受信部５８と、番組蓄積部５９と、番組出力部６０と、出力番組蓄積部６１と、出力番組出力部６２とを備える。
【００８５】
番組情報格納部５１は、番組情報を１以上格納している。ここで、番組情報とは、放送予定の番組に関する情報であり、番組の出力、あるいは番組の蓄積を行うときに番組を特定することができる情報を含んでいる。したがって、番組情報は、例えば、番組の放送日時と放送チャンネルを含んでもよく、番組を識別可能な制御コードを含んでもよい。１つの番組情報が、１つの放送番組に対応している。なお、この番組情報格納部５１が格納している情報は、ＥＰＧ（Ｅｌｅｃｔｒｏｎｉｃ  Ｐｒｏｇｒａｍ  Ｇｕｉｄｅ：電子番組ガイド）の情報であってもよい。この場合、ＥＰＧの一つひとつの番組の情報が、番組情
報となる。番組情報格納部５１が格納している番組情報は、例えば、インターネットを介して取得されたものでもよく、所定の記録媒体から読み出されたものでもよい。
【００８６】
番組情報表示部５２は、番組情報格納部５１が格納している１以上の番組情報を表示する。この場合における番組情報の表示とは、各番組情報のすべての情報の表示と、各番組情報の必要十分な範囲における表示（番組情報の一部の表示）とを含む概念である。ここで、必要十分な範囲における表示とは、ユーザが、表示された番組情報によって番組を特定でき得る範囲における表示であり、例えば、番組情報に放送日時と放送チャンネルと番組のタイトルが含まれている場合に、番組のタイトルのみを表示するような場合が該当する。なお、番組情報表示部５２は、表示デバイス（例えば、ＣＲＴや液晶ディスプレイなど）を含んでいてもよく、あるいは表示デバイスを駆動するドライバ等のソフトウェアであってもよい。ただし、本実施の形態では、番組情報を図示しない外部の表示デバイスに表示するドライバであるとする。
【００８７】
スケジュール枠情報格納部５３は、視聴予約のスケジュールの枠組みを示す情報であるスケジュール枠情報を格納している。このスケジュール枠情報は、例えば、スケジュール枠の開始の時刻と終了の時刻（例えば、０時から２４時や、６時から２３時など）、及び表示する目盛りの単位（１時間ごとなのか、３０分ごとなのかなど）などを含んでいる。なお、スケジュール枠情報は、複数のスケジュールの枠組みを示す情報を有してもよい。例えば、大人用の０時から２４時までのスケジュール枠と、子供用の６時から２１時までのスケジュール枠とが設定されていてもよい。
【００８８】
スケジュール枠表示部５４は、スケジュール枠情報格納部５３が格納しているスケジュール枠情報に基づいて、スケジュール枠を表示する。なお、スケジュール枠表示部５４は、表示デバイス（例えば、ＣＲＴや液晶ディスプレイなど）を含んでいてもよく、あるいは表示デバイスを駆動するドライバ等のソフトウェアであってもよい。ただし、本実施の形態では、番組情報を図示しない外部の表示デバイスに表示するドライバであるとする。
【００８９】
配置指示受付部５５は、スケジュール枠表示部５４が表示したスケジュール枠に対して、番組情報表示部５２が表示した所定の番組情報を配置する指示を受け付ける。そして、その番組情報と、番組情報が配置されたスケジュール枠が示す時刻の情報である時刻情報とを番組時刻情報蓄積部５６に渡す。配置指示受付部５５は、例えば、所定の入力デバイス（例えば、キーボードなど）から入力された指示を受け付けてもよく、有線もしくは無線の通信回線を介して入力された指示を受け付けてもよい。
【００９０】
番組時刻情報蓄積部５６は、配置指示受付部５５から受け取った番組情報と、時刻情報とを対応付けて所定の記録媒体に蓄積する。なお、この番組情報の蓄積は、番組情報のすべての情報の蓄積と、番組情報の一部の情報の蓄積とを含む概念である。ここで、番組情報の一部の情報が蓄積される場合には、その蓄積された情報によって番組を識別し得る情報（例えば、制御コードや、番組情報に放送日時と放送チャンネルと番組のタイトルが含まれる場合における、番組のタイトル以外の番組情報）が蓄積されるものとする。また、時刻情報は、具体的に時刻を示すものであってもよく（例えば、２００３年８月３日午前９時等）、あるいは、時刻を識別するための時刻識別子であってもよい（例えば、２００３年８月３日午前９時が、時刻識別子「１２５６０３２」に対応している場合における「１２５６０３２」等）。この記録媒体は、例えば、半導体メモリや、光ディスク、磁気ディスク等であり、番組時刻情報蓄積部５６が有していてもよく、あるいは番組時刻情報蓄積部５６の外部（番組出力装置の外部でもよい）に存在してもよい。
【００９１】
番組受信部５８は、放送された番組を、アンテナ５７を介して受信する。ここで、その放送は、地上波放送や衛星放送でもよく、ケーブルテレビによる放送でもよく、インター
ネット放送でもよい。
番組蓄積部５９は、番組受信部５８が受信した番組であって、番組時刻情報蓄積部５６が蓄積した番組情報が示す番組を所定の記録媒体に蓄積する。この記録媒体は、例えば、半導体メモリや、光ディスク、磁気ディスク、磁気テープ等であり、番組蓄積部５９が有していてもよく、あるいは番組蓄積部５９の外部（番組出力装置の外部でもよい）に存在してもよい。
【００９２】
番組出力部６０は、番組時刻情報蓄積部５６が蓄積した時刻情報が示す時刻に、その時刻情報に対応する番組情報が示す番組を、番組蓄積部５９が蓄積した記録媒体から読み出して出力する。ここで、この出力は、表示デバイスへの表示でもよく、通信回線を介した所定の機器に対する送信であってもよい。また、番組出力部６０は、出力デバイスを含んでいてもよく、あるいは出力デバイスを駆動するドライバ等のソフトウェアであってもよい。ただし、本実施の形態では、番組を図示しない外部の表示デバイスに表示するドライバであるとする。
【００９３】
出力番組蓄積部６１は、番組出力部６０が出力した番組を示す情報である出力番組情報を所定の記録媒体に蓄積する。この記録媒体は、例えば、半導体メモリや、光ディスク、磁気ディスク等であり、出力番組蓄積部６１が有していてもよく、あるいは出力番組蓄積部６１の外部（番組出力装置の外部でもよい）に存在してもよい。
【００９４】
出力番組出力部６２は、出力番組蓄積部６１が蓄積した出力番組情報を出力する。この出力は、所定のサーバ、あるいは、所定の機器に対する有線または無線の通信回線を介した通信（送信）であってもよく、表示デバイスへの表示であってもよく、プリンタによる印刷などであってもよい。また、出力番組出力部６２は、出力デバイスを含んでいてもよく、あるいは出力デバイスを駆動するドライバ等のソフトウェアであってもよい。この出力が送信出力である場合には、この送信のタイミングは、所定の期間ごと（例えば、毎日午前２時など）であってもよく、所定のイベント（例えば、出力番組蓄積部６１の蓄積した出力番組情報の容量が一定のしきい値を超えたと判断されたこと）をトリガーとするものであってもよく、その他のタイミングであってもよい。本実施の形態では、この出力は送信出力であるとする。
【００９５】
次に、本実施の形態による番組出力装置の動作について説明する。
図１２は、本実施の形態による番組出力装置の動作を示すフローチャートである。
（ステップＳ４０１）配置指示受付部５５は、視聴予約（出力予約）を行う旨の指示を受け付けたかどうかを判断する。そして、受け付けた場合には、その指示に応じた番組情報、及びスケジュール枠を表示するように、それぞれ番組情報表示部５２、及びスケジュール枠表示部５４に指示してステップＳ４０２に進み、受け付けていない場合には、ステップＳ４０５に進む。なお、後述するように、配置指示受付部５５が受け付ける視聴予約を行う旨の指示には、間接的に、録画予約を行う旨の指示も含まれている。
【００９６】
（ステップＳ４０２）番組情報表示部５２は、配置指示受付部５５からの指示に応じて、番組情報格納部５１が格納している番組情報を表示する。図１３は、番組情報格納部５１が格納している番組情報の一例を示す図であり、番組情報表示部５２は、例えば、図１３で示される番組情報を表示する。この表示の形態は、図１３で示すように表示してもよく、横軸が放送チャンネル、縦軸が放送日時となるように表示してもよく、あるいは番組名のみの表示でもよく、その表示の形態は問わない。また、スケジュール枠表示部５４は、配置指示受付部５５からの指示に応じて、スケジュール枠情報格納部５３が格納しているスケジュール枠情報に基づいて、スケジュール枠を表示する。
【００９７】
（ステップＳ４０３）配置指示受付部５５は、スケジュール枠表示部５４が表示したス
ケジュール枠に対して、番組情報表示部５２が表示した番組情報を配置する指示を受け付けたかどうか判断する。そして、指示を受け付けた場合には、受け付けた指示により特定される番組情報と、その番組情報が配置されたスケジュール枠が示す時刻の情報である時刻情報とを番組時刻情報蓄積部５６に渡してステップＳ４０４に進み、指示を受け付けていない場合には、指示を受け付けるまでステップＳ４０３の判断を繰り返す。
【００９８】
（ステップＳ４０４）番組時刻情報蓄積部５６は、配置指示受付部５５から受け取った番組情報と、時刻情報とを対応付けて蓄積する。この番組情報の蓄積では、前述のように、番組情報の一部の情報の蓄積であってもよい。図１４は、番組時刻情報蓄積部５６が蓄積した番組情報と、時刻情報との一例を示す図である。図１４では、番組情報と時刻情報とが番組識別子に対応付けられている。
【００９９】
（ステップＳ４０５）番組蓄積部５９は、番組時刻情報蓄積部５６が蓄積した番組情報を参照し、その時の日付で録画時刻（番組開始時刻）が近づいている番組情報があるかどうか判断する。そして、録画時刻が近づいている番組情報がある場合には、ステップＳ４０６に進み、ない場合には、ステップＳ４０７に進む。
【０１００】
（ステップＳ４０６）番組蓄積部５９は、録画時刻が近づいている番組情報の放送チャンネルを番組受信部５８に受信させ、その番組情報の番組開始時刻から番組受信部５８が受信した番組の録画（蓄積）を開始する。なお、この録画は、番組終了時刻になれば終了する。図１５は、番組蓄積部５９が蓄積した番組のデータの一例を示す図である。図１５で示すように、番組蓄積部５９は、番組情報に対応する番組識別子に対応付けて番組のデータを蓄積する。
【０１０１】
（ステップＳ４０７）番組出力部６０は、番組時刻情報蓄積部５６が蓄積した時刻情報を参照し、出力の開始時刻が近づいている番組があるかどうか判断する。そして、出力の開始時刻が近づいている番組がある場合には、ステップＳ４０８に進み、ない場合には、ステップＳ４０１に戻る。
【０１０２】
（ステップＳ４０８）番組出力部６０は、出力開始時刻が近づいている番組に対応する番組識別子を番組時刻情報蓄積部５６が蓄積した情報から取得し、その番組識別子に対応する番組を、番組蓄積部５９が蓄積した番組から読み出して、出力開始時刻から出力を開始する。また、番組出力部６０は、出力を開始した番組を示す情報である出力番組情報を出力番組蓄積部６１に渡す。この出力番組情報は、例えば、出力した番組に対応する番組情報であってもよい。なお、この出力は、番組が終了するまで行われる。
【０１０３】
（ステップＳ４０９）出力番組蓄積部６１は、番組出力部６０から受け取った出力番組情報を蓄積する。図１６は、出力番組蓄積部６１が蓄積した出力番組情報の一例を示す図である。図１６では、出力番組情報は、出力した番組に対応する番組情報及び時刻情報となっている。
（ステップＳ４１０）番組出力部６０は、出力を開始した番組の番組情報と、その番組情報に対応する時刻情報とを、番組時刻情報蓄積部５６が蓄積した所定の記録媒体から削除し、ステップＳ４０１に戻る。
【０１０４】
なお、図１２のフローチャートでは、番組出力情報の蓄積（ステップＳ４０９）と、番組情報等の削除（ステップＳ４１０）とを、番組の出力を開始した直後に行うとしているが、これらの処理は、番組の出力が終了した後に行ってもよい。
また、図１２のフローチャートにおいて、電源オフや処理終了の割り込みにより処理は終了する。
【０１０５】
また、出力番組蓄積部６１が蓄積した出力番組情報は、所定のタイミングによって、出力番組出力部６２が出力する。出力番組情報の出力先は、例えば、その出力番組情報によりユーザがどのような番組を録画・視聴したのかを調査するリサーチ会社のサーバ等であってもよく、もしくは、番組出力装置を管理するユーザの携帯端末等に送信することにより、例えば、子供がどのような番組を録画・視聴したのかを両親が知ることができるようにしてもよい。あるいは、出力番組情報は所定の記録媒体に記録されるだけでもよい。
【０１０６】
次に、本実施の形態による番組出力装置の動作について、具体例を用いて説明する。ここで、番組情報格納部５１が格納している番組情報は、図１３で示すものであり、本実施の形態による番組出力装置は、ＰＣ（Ｐｅｒｓｏｎａｌ  Ｃｏｍｐｕｔｅｒ）であり、番組出力部６０は、このＰＣに接続されたテレビ受像機（図示せず）に番組を出力するものとする。
【０１０７】
まず、番組時刻情報蓄積部５６が番組情報と時刻情報を蓄積するまでの動作について説明する。
視聴予約（出力予約）を行うソフトウェア・プログラムをユーザが起動すると（ステップＳ４０１）、図１７で示される表示がディスプレイ（図示せず）になされる。この表示において、ユーザは、番組情報とスケジュール枠について、所望の日付をマウスでダブルクリックすることにより選択する。ユーザが番組情報として２００３年８月１日を選択し、スケジュール枠として２００３年８月３日を選択したとする。すると、配置指示受付部５５がその旨を受け付け、番組情報表示部５２に対して、２００３年８月１日の番組情報を表示するように指示し、スケジュール枠表示部５４に対して、２００３年８月３日のスケジュール枠を表示するように指示する。番組情報表示部５２は、２００３年８月１日の番組情報を番組情報格納部５１から読み出してディスプレイに表示し、スケジュール枠表示部５４は、２００３年８月３日のスケジュール枠をディスプレイに表示する。その結果、図１８の表示がディスプレイに表示される（ステップＳ４０２）。図１８において、右側のウィンドー７１により、２００３年８月１日の番組情報が表示され、左側のウィンドー７２により、２００３年８月３日のスケジュール枠が表示されている。
【０１０８】
図１９で示すように、ユーザがマウスを操作することにより、番組「ドラマ００１」をスケジュール枠の９時から１０時の間にドラッグ&ドロップする。すると、配置指示受付部５５は、「ドラマ００１」の番組情報を番組情報表示部５２から受け取り、その番組情報と、「ドラマ００１」が配置された時刻である「２００３年８月３日９時０分」を示す時刻情報とを番組時刻情報蓄積部５６に渡す（ステップＳ４０３）。その結果、番組時刻情報蓄積部５６は、図１４の１番目のレコードで示されるように、番組情報と時刻情報を蓄積する（ステップＳ４０４）。
【０１０９】
次に、番組を蓄積する動作について説明する。２００３年８月１日において、２１時直前になると、番組蓄積部５９は、録画時刻が近づいたと判断し（ステップＳ４０５）、番組受信部５８に４チャンネルの番組を受信させて、２１時から番組受信部５８が受信した放送番組の蓄積を開始する（ステップＳ４０６）。このときには、番組情報に対応する番組識別子「１００１」に対応付けて放送番組のデータを蓄積する。番組蓄積部５９は、蓄積の対象である番組の番組名「ドラマ００１」を番組受信部５８が受信した番組の映像データのヘッダから取得し、番組識別子に対応付けて、その番組名のＭＰＥＧデータを蓄積する。番組蓄積部５９が蓄積した番組は、図１５の１番目のレコードで示されるものとなる。その後、番組蓄積部５９は、その番組が終了するまで（２２：００まで）その番組を蓄積する。
【０１１０】
次に、番組を出力する動作について説明する。２００３年８月３日において、９時直前になると、番組出力部６０は、出力時刻が近づいたと判断し（ステップＳ４０７）、出力
対象となる番組の番組識別子「１００１」を番組時刻情報蓄積部５６が蓄積した情報から取得し、その番組識別子「１００１」に対応する番組のデータ「ドラマ００１．ｍｐｇ」を番組蓄積部５９が蓄積した番組のデータから読み出して、９時に番組の出力を開始する（ステップＳ４０８）。このようにして、ＰＣに接続されたテレビ受像機に番組「ドラマ００１」が表示され、ユーザは、その番組を視聴することができる。また、番組出力部６０は、出力している番組に対応する番組情報と時刻情報とを取得し、それらの情報を出力番組情報として出力番組蓄積部６１に渡すと、出力番組情報は、その出力番組情報を蓄積する（ステップＳ４０９）。そのようにして蓄積された出力番組情報は、図１６の１番目のレコードで示されるものとなる。その出力番組情報は、例えば、毎月１日の午前２時に、所定のサーバに対して出力番組出力部６２によって送信され、そのサーバにおいて、ユーザの視聴傾向を分析するために用いられる。
【０１１１】
また、番組出力部６０は、出力を開始した番組の番組情報と時刻情報を削除するように番組時刻蓄積部５６に指示する。その結果、その番組情報と時刻情報が削除される（ステップＳ４１０）。
【０１１２】
以上のように、本実施の形態による番組出力装置によれば、１以上の番組情報を表示する番組情報表示部５２と、スケジュール枠を表示するスケジュール枠表示部５４と、スケジュール枠表示部５４が表示したスケジュール枠に対して、番組情報表示部５２が表示した番組情報を配置する指示を受け付ける配置指示受付部５５と、配置指示受付部５５が受け付けた指示により特定される番組情報と、その番組情報が配置されたスケジュール枠が示す時刻の情報である時刻情報とを対応付けて蓄積する番組時間情報蓄積部５６と、番組受信部５８が受信した番組であって、番組時間情報蓄積部５６が蓄積した番組情報が示す番組を蓄積する番組蓄積部５９と、番組時間情報蓄積部５６が蓄積した時刻情報が示す時刻に、当該時刻情報に対応する番組情報が示す番組を番組蓄積部５９が蓄積した番組から読み出して出力する番組出力部６０とを備えたことで、ユーザは、簡便な方法により視聴予約（出力予約）を行うのみで、録画予約を自動的に行うことができ、ユーザが録画予約を行う作業を省略することができる。さらに、そのようにして録画された番組を、ユーザ所望の日時に計画的に視聴することができる。
【０１１３】
なお、配置指示受付部５５がスケジュール枠に対する番組情報の配置の指示を受け付けるときに、番組を出力する対象となる機器ごとにその指示を受け付け、番組時刻情報蓄積部５６は、その機器ごとに番組情報と時刻情報を蓄積し、さらに、番組出力部６０は、その機器ごとに、番組の出力を行ってもよい。その場合には、配置指示受付部５５が、番組を出力する対象となる機器ごとの機器識別子に対応付けて指示を受け付け、番組時刻情報蓄積部５６がその機器識別子に対応付けて番組情報と時刻情報を蓄積し、番組出力部６０が機器識別子で識別される機器に対して、対応する番組を出力する。
【０１１４】
具体的には、図２０で示すように、リビングルームのディスプレイに出力する番組の視聴予約はウィンドー７２で指定し、子供部屋のディスプレイに出力する番組の視聴予約はウィンドー７３で指定する。その結果、番組時刻情報蓄積部５６が蓄積した番組情報と時刻情報とは、図２１で示すように、番組を出力する対象となる機器（図２１ではディスプレイ）を示す情報に対応付けられる。ここで、ディスプレイの欄が「１」である場合には、リビングルームのディスプレイに出力することを意味し、ディスプレイの欄が「２」である場合には、子供部屋のディスプレイに出力することを意味する。番組出力部６０は、このディスプレイの欄に応じて、番組をリビングルームのディスプレイや、子供部屋のディスプレイに出力する。
【０１１５】
このようにすることで、例えば、本実施の形態による番組出力装置がホームサーバである場合に、子供向けの番組は子供部屋のディスプレイに出力し、映画やニュースなどの番
組はリビングルームのディスプレイに出力するというように、出力する対象となる機器を区別することができる。その結果、放送番組を一元管理しながら、各機器に相応しい番組の出力を行うことができる。
【０１１６】
また、本実施の形態では、番組時刻情報蓄積部５６が蓄積する時刻情報には「年月日」の情報も含まれる場合について説明したが、例えば、番組が放送された同日に番組の出力を行うような場合等（例えば、１９時から放送されるニュースを、２３時から出力するような場合）には、時刻情報は年月日に関する情報を含まなくてもよい。
【０１１７】
また、本実施の形態では、番組の出力時刻の設定を行うことにより番組の録画予約も行う場合について説明したが、例えば、大容量の記録媒体を用いて、数か月程度の全放送番組を記録しておくことができる場合には、録画予約を行わず、その記録された番組の出力時刻の設定だけを行うようにしてもよい。
【０１１８】
（実施の形態３）
以下、本発明の実施の形態３による番組出力装置について、図面を参照しながら説明する。
図２２は、本実施の形態による番組出力装置の構成を示すブロック図である。図２２において、本実施の形態による番組出力装置は、番組情報格納部５１と、番組情報表示部５２と、スケジュール枠情報格納部５３と、スケジュール枠表示部５４と、配置指示受付部８０と、番組時刻情報蓄積部５６と、アンテナ５７と、番組受信部５８と、番組蓄積部５９と、番組出力部６０と、出力番組蓄積部６１と、出力番組出力部６２と、特定番組情報受付部８１と、特定番組情報蓄積部８２と、特定番組表示部８３と、課金部８４とを備える。なお、配置指示受付部８０、特定番組情報受付部８１、特定番組情報蓄積部８２、特定番組表示部８３、及び課金部８４以外の構成及び動作は、実施の形態２と同様であり、その説明を省略する。
【０１１９】
配置指示受付部８０は、実施の形態２による配置指示受付部５５と同様の機能に加え、特定番組情報に基づいた番組情報に関する配置の指示を受け付けるものである。ここで、特定番組情報とは、特定の番組に関する情報であり、例えば、その特定の番組に関する放送予定の情報などを含んでいる。
【０１２０】
特定番組情報受付部８１は、特定番組情報を受け付ける。この特定番組情報は、放送されたものでもよく、所定の通信回線を介して送信されたものでもよく、所定の記録媒体から読み出されたものでもよく、あるいは、所定の入力デバイス（例えば、キーボードなど）により入力されたものでもよい。また、特定番組情報が所定の通信回線を介して送信される場合において、その送信は、番組出力装置のユーザがあらかじめ登録しておいたジャンルに関する特定番組情報の送信でもよく、あるいは、ホームページなどの閲覧中になされたインタラクティブな要求に対する送信でもよい。
【０１２１】
特定番組情報蓄積部８２は、特定番組情報受付部８１が受け付けた特定番組情報を所定の記録媒体に蓄積する。この記録媒体は、例えば、半導体メモリや、光ディスク、磁気ディスク等であり、特定番組情報蓄積部８２が有していてもよく、あるいは特定番組情報蓄積部８２の外部（番組出力装置の外部でもよい）に存在してもよい。
【０１２２】
特定番組表示部８３は、特定番組情報受付部８１が受け付け、特定番組情報蓄積部８２が蓄積した特定番組情報を表示する。なお、特定番組表示部８３は、表示デバイス（例えば、ＣＲＴや液晶ディスプレイなど）を含んでいてもよく、あるいは表示デバイスを駆動するドライバ等のソフトウェアであってもよい。ただし、本実施の形態では、特定番組情報を図示しない外部の表示デバイスに表示するドライバであるとする。
課金部８４は、特定番組情報受付部８１が特定番組を受け付けることに対して課金を行う。
【０１２３】
次に、本実施の形態による番組出力装置の動作について説明する。図２３は、本実施の形態による番組出力装置の特定番組情報の受け付けと、特定番組情報を用いた視聴予約（出力予約）との動作を示すフローチャートである。なお、これ以外の動作（例えば、番組の録画や番組の出力に関する動作）については、実施の形態２と同様であり、その説明を省略する。
【０１２４】
（ステップＳ５０１）特定番組情報受付部８１は、特定番組情報を受け付けたかどうか判断する。特定番組情報を受け付けた場合には、その受け付けた特定番組情報を特定番組情報蓄積部８２に渡してステップＳ５０２に進み、受け付けていない場合には、ステップＳ５０４に進む。
【０１２５】
（ステップＳ５０２）特定番組情報蓄積部８２は、特定番組情報受付部８１から受け取った特定番組情報を所定の記録媒体に蓄積する。図２４は、特定番組情報蓄積部８２が蓄積した「テレビ英会話」に関する特定番組情報の一例を示す図である。図２４で示すように、特定番組情報には、特定の番組（この場合はテレビ英会話）に関する番組情報が含まれている。
【０１２６】
（ステップＳ５０３）課金部８４は、特定番組情報受付部８１が特定番組情報を受け付けたことに対して課金を行う。この課金は、特定番組情報受付部８１が受け付けた特定番組情報の個数のカウンタをインクリメントすることでもよく、あるいは、特定番組情報受付部８１が受け付けた特定番組情報を示す情報（例えば、特定番組情報の名称である「テレビ英会話」など）を所定の記録媒体に蓄積することでもよい。
【０１２７】
（ステップＳ５０４）配置指示受付部８０は、特定番組情報による視聴予約を行う指示を受け付けたかどうか判断する。その指示を受け付けた場合には、その指示に含まれるスケジュール枠、及び特定番組情報を表示するように、それぞれスケジュール枠表示部５４、及び特定番組表示部８３に指示してステップＳ５０５に進み、受け付けていない場合には、ステップＳ５０１に戻る。
【０１２８】
（ステップＳ５０５）スケジュール枠表示部５４は、配置指示受付部５５からの指示に応じて、スケジュール枠を表示する。また、特定番組表示部８３は、配置指示受付部５５からの指示に応じて、特定番組情報蓄積部８２が蓄積した特定番組情報を表示する。なお、特定番組情報の表示においては、蓄積されたすべての情報を表示してもよく、あるいは、番組を識別するのに必要十分な範囲で表示してもよい。
【０１２９】
（ステップＳ５０６）配置指示受付部８０は、スケジュール枠表示部５４が表示したスケジュール枠に対して、特定番組表示部８３が表示した特定番組情報に基づいて、番組情報を配置する指示を受け付けたかどうか判断する。そして、指示を受け付けた場合には、受け付けた指示により特定される番組情報と、その番組情報が配置されたスケジュール枠が示す時刻の情報である時刻情報とを番組時刻情報蓄積部５６に渡してステップＳ５０７に進み、指示を受け付けていない場合には、指示を受け付けるまでステップＳ５０６の判断を繰り返す。なお、特定番組表示部８３に、特定番組情報のすべての情報が表示されていない場合（すなわち、番組情報のすべての情報を特定番組表示部８３が有しない場合）には、配置指示受付部８０は、特定番組表示部８３を介して特定番組情報蓄積部８２から対応する番組情報を受け付ける。
【０１３０】
（ステップＳ５０７）番組時刻情報蓄積部５６は、配置指示受付部５５から受け取った
番組情報と、時刻情報を対応付けて蓄積し、ステップＳ５０１に戻る。図２５は、番組時刻情報蓄積部５６が蓄積した番組情報と、時刻情報との一例を示す図である。
なお、図２３のフローチャートにおいて、電源オフや処理終了の割り込みにより処理は終了する。
【０１３１】
次に、課金部８４による課金処理について説明する。課金部８４は、上記説明のように、特定番組情報受付部８１が特定番組情報を受け付けるごとに、カウント値のインクリメントなどを行い、所定のルールにしたがって、そのカウント値等により、ユーザに対する課金を行う。例えば、毎月２０日に課金部８４がカウント値と番組出力装置（あるいはユーザ）を識別する識別情報とを図示しない通信手段を介して銀行に送信し、銀行がカウント値に所定の金額を掛けたものを、識別情報で特定されるユーザの口座から引き落とすことによりユーザへの課金がなされる。あるいは、例えば、クレジットカードを用いて課金を行ってもよい。また、課金部８４は、課金情報（例えば、カウント値等）を記録しておき、その課金情報を所定のサーバ（課金情報を管理する装置）に送信するものであってもよい。あるいは、課金部８４は、課金に関する情報（例えば、カウント値など）を保持するだけのものであり、所定のサーバが課金部８４にアクセスすることにより、その課金に関する情報を取得するようにしてもよい。
【０１３２】
次に、本実施の形態による番組出力装置の動作について、具体例を用いて説明する。ここで、本実施の形態による番組出力装置はＰＣであるとする。
まず、特定番組情報の蓄積について説明する。ユーザがあらかじめ「テレビ英会話」、「子供向け番組」、「毎月のおすすめ番組」等について、特定番組情報の配信を登録している場合には、その特定番組情報が所定のサーバから配信される。そして、その配信された特定番組情報は、特定番組情報受付部８１で受け付けられ（ステップＳ５０１）、特定番組情報蓄積部８２で所定の記録媒体に蓄積される（ステップＳ５０２）。また、その特定番組情報を受け付けたことに対して、課金部８４による課金処理（例えば、カウント値のインクリメントなど）がなされる（ステップＳ５０３）。蓄積された特定番組情報には、「テレビ英会話」、「子供向け番組」、「８月のおすすめ」等が含まれており、「テレビ英会話」の特定番組情報は、図２４で示されるものであるとする。
【０１３３】
次に、番組時刻情報蓄積部５６が、特定番組情報に基づいて番組情報と時刻情報とを蓄積するまでの動作について説明する。
特定番組情報を用いた視聴予約（出力予約）を行うソフトウェア・プログラムをユーザが起動すると（ステップＳ５０４）、図２６で示される表示がディスプレイ（図示せず）になされる（ステップＳ５０５）。この表示において、ユーザは、特定番組情報とスケジュール枠について、所望の特定番組情報と、所望の日付をマウスでダブルクリックして選択する。ユーザが特定番組情報として「テレビ英会話」を選択し、スケジュール枠として２００３年８月３０日を選択したとする。すると、配置指示受付部８０がその旨を受け付け、特定番組表示部８３に対して、「テレビ英会話」の特定番組情報を表示するように指示し、スケジュール枠表示部５４に対して、２００３年８月３０日のスケジュール枠を表示するように指示する。特定番組表示部８３は、「テレビ英会話」の特定番組情報を特定番組情報蓄積部８２が蓄積した情報から読み出して表示する。また、スケジュール枠表示部５４は、２００３年８月３０日のスケジュール枠を表示する。その結果、図２７の表示がディスプレイに表示される。
【０１３４】
図２８で示すように、ユーザがマウスを操作することにより、番組「テレビ英会話・第１回」、「テレビ英会話・第２回」、「テレビ英会話・第３回」をスケジュール枠の９時から１０時３０分までの間にドラッグ&ドロップする（ステップＳ５０６）。すると、配置指示受付部８０は、「テレビ英会話・第１回」、「テレビ英会話・第２回」、「テレビ英会話・第３回」の番組情報を特定番組表示部８３から受け取り、その番組情報と、「テ
レビ英会話・第１回」、「テレビ英会話・第２回」、「テレビ英会話・第３回」が配置された時刻である、「２００３年８月３０日９時０分」、「２００３年８月３０日９時３０分」、「２００３年８月３０日１０時０分」を示す時刻情報とを番組時刻情報蓄積部５６に渡す。その結果、番組時刻情報蓄積部５６は、図２５の１番目から３番目までのレコードで示されるように、番組情報と時刻情報とを対応付けて蓄積する（ステップＳ５０７）。
なお、これ以外の番組を蓄積する動作や、番組を出力する動作については、実施の形態２と同様であり、その説明を省略する。
【０１３５】
以上のように、本実施の形態による番組出力装置によれば、特定番組情報を受け付ける特定番組情報受付部８１と、特定番組情報受付部８１が受け付けた特定番組情報を表示する特定番組表示部８３とをさらに備え、配置指示受付部８０が、特定番組表示部８３が表示した特定番組情報に基づいて、番組情報を配置する指示を受け付けることで、ユーザは、特定番組情報を用いて、より容易に番組の録画予約と、出力予約とを行うことができる。特に、所望のジャンルの特定番組情報を用いて番組情報のスケジュール枠への配置を行うことで、多くの番組情報の中から、所望の番組を選択する作業を行わなくてよいこととなり、ユーザの煩雑な手続きを軽減することができる。例えば、特定番組情報がテレビ英会話に関するものである場合には、その特定番組情報はテレビ英会話の放送順に構成されているため、ユーザは、その順番に出力予約を行うことで、通常の番組情報から一つひとつのテレビ英会話の番組を探すことなく、容易に出力予約を行うことができる。
【０１３６】
なお、本実施の形態では、特定番組情報の具体例として、主にテレビ英会話の場合について説明したが、特定番組情報は、例えば、ドラマを放送順に構成したものでもよく、おすすめ番組を集めたものでもよく、あるいは、所定の野球の球団に関する内容を含む番組（プロ野球のニュースや、その球団に関するドキュメンタリーなど）を集めたものなどのように、所定の情報に関する番組を集めたものでもよく、その内容は限定されない。
【０１３７】
また、本実施の形態では、特定番組情報が番組情報を含んでおり、その番組情報をスケジュール枠に配置する場合について説明したが、特定番組情報が番組情報を含んでおらず、特定番組情報を参照しながら、番組情報表示部５２が表示した番組情報をスケジュール枠に配置してもよく、あるいは、特定番組情報に配置先の時間の情報も含まれている場合には、特定番組情報をクリックするだけで、スケジュール枠への配置が行われるようにしてもよい。
【０１３８】
（実施の形態４）
以下、本発明の実施の形態４による録画再生情報送信装置について、図面を参照しながら説明する。
図２９は、本実施の形態による録画再生情報送信装置の構成を示すブロック図である。図２９において、本実施の形態による録画再生情報送信装置は、番組情報格納部５１と、番組情報表示部５２と、スケジュール枠情報格納部５３と、スケジュール枠表示部５４と、配置指示受付部５５と、送信部９０とを備える。なお、送信部９０以外の構成及び動作は、実施の形態２と同様であり、その説明を省略する。
【０１３９】
送信部９０は、配置指示受付部５５が受け付けた指示により特定される番組情報と、当該番組情報が配置されたスケジュール枠が示す時刻の情報である時刻情報とに基づいて、その番組情報で識別される番組の録画予約の情報である録画予約情報と、その時刻情報が示す時刻を再生時刻とした、録画予約の対象となっている番組の再生時刻の情報である再生時刻情報とを送信する。この録画予約情報等の送信先は、ホームサーバや業務用のサーバであってもよく、あるいはＰＣや通信機能を有するテレビ受像機などであってもよい。
【０１４０】
次に、本実施の形態による録画再生情報送信装置の動作について説明する。図３０は、本実施の形態による録画再生情報送信装置の動作を示すフローチャートである。なお、ステップＳ６０１以外の処理は、配置指示受付部５５が番組情報と時刻情報を番組時刻情報蓄積部５６に代えて送信部９０に渡す以外、実施の形態２による図１２のフローチャーにおける対応する処理と同様のものであり、その説明を省略する。
【０１４１】
（ステップＳ６０１）送信部９０は、配置指示受付部５５から受け取った番組情報を録画予約情報として、また時刻情報を再生時刻情報として送信する。送信先は、あらかじめ決められているところであってもよく、あるいは、図示しない受付部により受け付けられた送信先であってもよい。
【０１４２】
例えば、図１４の１番目のレコードの番組情報と時刻情報とを送信部９０が受け取った場合には、図６（ａ）の１番目のレコードで示される録画予約情報と、図６（ｃ）の１番目のレコードで示される再生時刻情報とが送信されることとなる。なお、図６で示されるように番組識別子を付加してもよく、あるいは、録画予約情報と再生時刻情報とを一緒に送信することにより、番組識別子を省略してもよい。
【０１４３】
以上のように、本実施の形態による録画再生情報送信装置によれば、番組情報を１以上格納している番組情報格納部５１と、１以上の番組情報を表示する番組情報表示部５２と、スケジュール枠情報を格納しているスケジュール枠情報格納部５３と、スケジュール枠を表示するスケジュール枠表示部５４と、スケジュール枠表示部５４が表示したスケジュール枠に対して、番組情報表示部５２が表示した番組情報を配置する指示を受け付ける配置指示受付部５５と、配置指示受付部５５が受け付けた指示により特定される番組情報と、その番組情報が配置されたスケジュール枠が示す時刻の情報である時刻情報とに基づいて、録画予約情報と再生時刻情報とを送信する送信部９０とを備えたことで、ユーザは、簡便な方法により録画予約情報と再生時刻情報とを送信することができ、それらの情報により、録画予約と再生予約とを行うことができる。特に、スケジュール枠において、再生時刻と、再生対象となる番組とを特定するのみで、録画予約も自動的に行うことができ、ユーザが録画予約を行う作業を省略することができる。
【０１４４】
なお、本実施の形態においても、実施の形態３と同様に、特定番組情報を受け付け、配置指示受付部が、その特定番組情報に基づいて、番組情報の配置を指示受け付けてもよい。また、特定番組の受け付けに対して課金を行ってもよい。
また、実施の形態２での説明と同様に、送信部９０は、番組を出力する対象となる機器を識別する機器識別子に対応付けて、番組情報と時刻情報とを送信してもよい。
【０１４５】
また、配置指示受付部５５は、番組を受信する機器（すなわち、送信部９０が録画予約情報等を送信する対象となる機器。例えば、実施の形態１の番組受信装置）ごとに番組情報の配置の指示を受け付け、送信部９０がその機器ごとに、録画予約情報等を送信してもよい。このようにすることで、単一の録画再生情報送信装置により、番組を受信する複数の機器に対して、その機器に応じた録画予約情報等を送信することができる。
【０１４６】
なお、上記各実施の形態において、各構成要素は専用のハードウェアにより構成してもよく、あるいは、ソフトウェアにより実現可能な構成要素については、プログラム制御によるソフトウェアにより構成してもよい。例えば、所定の情報を記録媒体に蓄積する蓄積部は、その情報を蓄積するためのソフトウェア（光ピックアップや磁気ヘッドなどを駆動するためのドライバソフトなど）により実現してもよく、あるいは、ハードウェアにより実現してもよい。ここで、上記各実施の形態における番組受信装置等を実現するソフトウェアは、以下のようなプログラムである。つまり、このプログラムは、コンピュータに、番組の録画予約の情報である録画予約情報を受け付ける録画予約受付ステップと、当該録
画予約の対象の番組に関する再生時刻の情報である再生時刻情報を受け付ける再生時刻受付ステップと、前記録画予約受付ステップで受け付けた録画予約情報に基づいて、受信された放送番組を蓄積する番組蓄積ステップと、前記再生時刻受付ステップで受け付けた再生時刻情報に基づいて、前記番組蓄積ステップで蓄積した番組を再生する番組再生ステップと、を実行させるためのものである。
【０１４７】
他のプログラムは、コンピュータに、放送予定の番組に関する情報である１以上の番組情報を表示する番組情報表示ステップと、スケジュールの枠組みを示す情報であるスケジュール枠情報に基づいてスケジュール枠を表示するスケジュール枠表示ステップと、前記スケジュール枠表示ステップで表示したスケジュール枠に対して、前記番組情報表示ステップで表示した番組情報を配置する指示を受け付ける配置指示受付ステップと、前記配置指示受付ステップで受け付けた指示によって特定される番組情報と、当該番組情報が配置されたスケジュール枠が示す時刻の情報である時刻情報とを対応付けて蓄積する番組時刻情報蓄積ステップと、前記番組時刻情報蓄積ステップで蓄積した時刻情報が示す時刻に、当該時刻情報に対応する番組情報が示す番組を出力する番組出力ステップと、を実行させるためのものである。
【０１４８】
また、このプログラムでは、コンピュータに、特定の番組に関する情報である特定番組情報を受け付ける特定番組情報受付ステップと、前記特定番組情報受付ステップで受け付けた特定番組情報を表示する特定番組表示ステップと、をさらに実行させ、前記配置指示受付ステップにおいて、前記特定番組表示ステップで表示した特定番組情報に基づいて、前記番組情報を配置する指示を受け付けるようにしてもよい。
【０１４９】
また、他のプログラムは、コンピュータに、放送予定の番組に関する情報である１以上の番組情報を表示する番組情報表示ステップと、スケジュールの枠組みを示す情報であるスケジュール枠情報に基づいてスケジュール枠を表示するスケジュール枠表示ステップと、前記スケジュール枠表示ステップで表示したスケジュール枠に対して、前記番組情報表示ステップで表示した番組情報を配置する指示を受け付ける配置指示受付ステップと、前記配置指示受付ステップで受け付けた指示によって特定される番組情報と、当該番組情報が配置されたスケジュール枠が示す時刻の情報である時刻情報とに基づいて、当該番組情報で識別される番組の録画予約の情報である録画予約情報と、前記時刻情報が示す時刻を再生時刻とした、当該録画予約の対象の番組に関する再生時刻の情報である再生時刻情報とを送信する録画再生情報送信ステップと、を実行させるためのものである。
【０１５０】
また、このプログラムでは、コンピュータに、特定の番組に関する情報である特定番組情報を受け付ける特定番組情報受付ステップと、前記特定番組情報受付ステップで受け付けた特定番組情報を表示する特定番組表示ステップと、をさらに実行させ、前記配置指示受付ステップにおいて、前記特定番組表示ステップで表示した特定番組情報に基づいて、前記番組情報を配置する指示を受け付けるようにしてもよい。
【０１５１】
なお、上記プログラムにおいて、表示ステップや、蓄積ステップなどでは、ハードウェアによって行われる処理、例えば、表示ステップにおける表示デバイス等で行われる処理（ハードウェアでしか行われない処理）は含まれない。
また、このプログラムは、サーバなどからダウンロードされることによって流通してもよく、所定の記録媒体（例えば、ＣＤ−ＲＯＭなどの光ディスクや磁気ディスク、半導体メモリなど）に記録されることにより流通してもよい。
【産業上の利用可能性】
【０１５２】
本発明による番組受信装置等は、例えば、放送番組を受信し、録画機能を有するテレビ受像機等や、そのテレビ受像機等と関連する情報処理装置等に用いることができる。
【図面の簡単な説明】
【０１５３】
【図１】本発明の実施の形態１による情報処理システムの構成を示すブロック図
【図２】同実施の形態による情報処理システムの構成を示すブロック図
【図３】同実施の形態による情報入力装置の動作を示すフローチャート
【図４】同実施の形態によるサーバ装置の動作を示すフローチャート
【図５】同実施の形態による番組受信装置の動作を示すフローチャート
【図６】同実施の形態による録画予約情報等の一例を示す図
【図７】同実施の形態による情報入力装置の外観の一例を示す模式図
【図８】同実施の形態による情報入力装置における表示例を示す図
【図９】同実施の形態による番組受信装置の表示の一例を示す図
【図１０】同実施の形態による情報処理システムの一例を示すブロック図
【図１１】本発明の実施の形態２による番組出力装置の構成を示すブロック図
【図１２】同実施の形態による番組出力装置の動作を示すフローチャート
【図１３】同実施の形態における番組情報の一例を示す図
【図１４】同実施の形態における番組情報と時刻情報の一例を示す図
【図１５】同実施の形態における蓄積された番組のデータの一例を示す図
【図１６】同実施の形態における出力番組情報の一例を示す図
【図１７】同実施の形態における表示の一例を示す図
【図１８】同実施の形態における表示の一例を示す図
【図１９】同実施の形態における表示の一例を示す図
【図２０】同実施の形態における表示の一例を示す図
【図２１】同実施の形態における番組情報と時刻情報の一例を示す図
【図２２】本発明の実施の形態３による番組出力装置の構成を示すブロック図
【図２３】同実施の形態による番組出力装置の動作を示すフローチャート
【図２４】同実施の形態における特定番組情報の一例を示す図
【図２５】同実施の形態における番組情報と時刻情報の一例を示す図
【図２６】同実施の形態における表示の一例を示す図
【図２７】同実施の形態における表示の一例を示す図
【図２８】同実施の形態における表示の一例を示す図
【図２９】本発明の実施の形態４による録画再生情報送信装置の構成を示すブロック図
【図３０】同実施の形態による録画再生情報送信装置の動作を示すフローチャート
【符号の説明】
【０１５４】
１、５７  アンテナ
２、５９  番組受信部
３  録画予約受付部
４  録画予約蓄積部
５  番組蓄積部
６  再生時刻受付部
７  再生時刻蓄積部
８  番組再生部
９  警告出力部
１０  番組受信装置
１１  電源制御部
１２  主電源
１３  ディスプレイ
１４、８４  課金部
２０  通信回線
３０  情報入力装置
３１  録画予約入力受付部
３２  再生時刻入力受付部
３３  入力情報送信部
３５  液晶ディスプレイ
４０  サーバ装置
４１  入力情報受信部
４２  受信情報送信部
５１  番組情報格納部
５２  番組情報表示部
５３  スケジュール枠情報格納部
５４  スケジュール枠表示部
５５、８０  配置指示受付部
５６  番組時刻情報蓄積部
６０  番組出力部
６１  出力番組蓄積部
６２  出力番組出力部
８１  特定番組情報受付部
８２  特定番組情報蓄積部
８３  特定番組表示部
９０  送信部
【図１】
2005142904.tif 000003
【図２】
2005142904.tif 000004
【図３】
2005142904.tif 000005
【図４】
2005142904.tif 000006
【図５】
2005142904.tif 000007
【図６】
2005142904.tif 000008
【図７】
2005142904.tif 000009
【図８】
2005142904.tif 000010
【図９】
2005142904.tif 000011
【図１０】
2005142904.tif 000012
【図１１】
2005142904.tif 000013
【図１２】
2005142904.tif 000014
【図１３】
2005142904.tif 000015
【図１４】
2005142904.tif 000016
【図１５】
2005142904.tif 000017
【図１６】
2005142904.tif 000018
【図１７】
2005142904.tif 000019
【図１８】
2005142904.tif 000020
【図１９】
2005142904.tif 000021
【図２０】
2005142904.tif 000022
【図２１】
2005142904.tif 000023
【図２２】
2005142904.tif 000024
【図２３】
2005142904.tif 000025
【図２４】
2005142904.tif 000026
【図２５】
2005142904.tif 000027
【図２６】
2005142904.tif 000028
【図２７】
2005142904.tif 000029
【図２８】
2005142904.tif 000030
【図２９】
2005142904.tif 000031
【図３０】
2005142904.tif 000032